(57)【要約】【課題】信号の送信状態遷移時に不要な周波数成分の出力を防ぐ軌道回路用送信器を提供する。【解決手段】ＡＴＣ信号出力制御部３と、ＡＴＣキャリア波生成器４と、ＡＴＣキャリア波生成器４からの入力信号を出力するか、或いは未出力とするかをＡＴＣ信号出力制御部３からの指示５に従い選択する選択器６と、ＡＴＣ信号出力制御部３から伝達するＡＴＣ情報７にあわせて周波数変調する変調器８と、ＡＴＣ信号出力制御部３からの指示９に従い出力レベルを調整するレベル調整器１０と、レベル調整器１０の出力を電力増幅する増幅器１１と、出力信号の出力電圧を検知して電圧フィードバック情報１２として出力する電圧検知部１３と、出力信号の出力電流を検知して電流フィードバック情報１４として出力する電流検知部１５と、を含む軌道回路用送信器１を構成し、レベル調整器を介して、信号の送信停止、又は送信開始を行い、不要な周波数成分の出力を防ぐ。【選択図】図１
2014159185.tif 000002
【特許請求の範囲】
【請求項１】
信号を軌道回路に送信する軌道回路用送信器において、
前記信号の出力レベルを検知し、当該出力レベルをもって軌道回路用送信器の故障有無を監視する監視部と、
前記監視部の出力信号を受け、前記軌道回路に出力する信号を制御する信号出力制御部と、
前記信号の出力レベルを調整するレベル調整部と、を有し、
前記信号出力制御部は、
前記軌道回路が列車在線から非在線へ、又は列車非在線から在線へ遷移した場合、前記レベル調整器に対して、前記信号の出力レベルを調整する指示を行い、
前記レベル調整部は、
前記出力レベル調整指示を受け、前記軌道回路に送信する前記信号の周波数を保ちながら、当該信号の出力レベルを徐々に下げ又は立ち上がるように変化させ、当該信号を停止又は開始する
ことを特徴とする軌道回路用送信器。
【請求項２】
請求項１に記載の軌道回路用送信器であって、
前記信号は、ＡＴＣ信号及び／又はＴＤ信号であり、更に、前記ＡＴＣ信号及び／又はＴＤ信号を搬送するＡＴＣ及び／又はＴＤ信号用キャリア波を生成するキャリア波生成器と、
前記ＡＴＣ及び／又はＴＤ信号用キャリア波を選択、又は非選択する選択部と、を有し、
前記信号出力制御部は、前記選択部に対して前記ＡＴＣ及び／又はＴＤ信号用キャリア波を選択、又は非選択かを指示し、当該キャリア波を選択した場合、当該キャリア波により搬送される前記ＡＴＣ信号及び／又はＴＤ信号を出力することを特徴とする軌道回路用送信器。
【請求項３】
請求項２に記載の軌道回路用送信器であって、
前記レベル調整部は、前記信号出力制御部のレベル調整指示を受け、前記ＡＴＣ及び／又はＴＤ信号用キャリア波の電圧レベルを調整するレベル調整器からなり、当該電圧レベルがゼロクロス点にて前記ＡＴＣ及び／又はＴＤ信号を停止し、またゼロレベルから前記ＡＴＣ及び／又はＴＤ信号を出力開始することを特徴とする軌道回路用送信器。
【請求項４】
ＡＴＣ又はＴＤ信号を軌道回路に出力するＡＴＣ信号用キャリア波又はＴＤ信号キャリア波を生成するキャリア波生成器と、
前記ＡＴＣ信号用キャリア波又はＴＤ信号用キャリア波を選択、又は非選択する選択部と、
前記選択部に対して前記ＡＴＣ信号用キャリア波又はＴＤ信号用キャリア波を選択、又は非選択かを指示し、当該キャリア波を選択した場合、当該キャリア波により搬送される前記ＡＴＣ信号又はＴＤ信号を出力する信号出力制御部と、
前記ＡＴＣ信号又はＴＤ信号の出力レベルを検知し、当該出力レベルをもって軌道回路用送信器の故障有無を監視する監視部と、
を有する軌道回路用送信器であって、
前記軌道回路が列車在線から非在線へ、又は列車非在線から在線へ遷移した場合、前記ＡＴＣ信号用キャリア波又はＴＤ信号用キャリア波の周波数を保ちながら、前記ＡＴＣ信号用キャリア波又はＴＤ信号用キャリア波の出力レベルを徐々に下げ又は上がるように変化させ、当該信号を停止又は開始するように制御するレベル調整手段を設けたことを特徴とする軌道回路用送信器。
【請求項５】
ＡＴＣ論理部からの指示信号を受け、ＡＴＣ信号用キャリア波、又はＴＤ信号用キャリア波を選択する選択信号、ＡＴＣ信号、ＡＴＣ信号用キャリア波、又はＴＤ信号用キャリア波の電圧レベルを調整するレベル調整指示信号、を出力する信号出力制御部と、前記ＡＴＣ信号用キャリア波、又はＴＤキャリア波を生成するキャリア波生成器と、前記信号出力制御部の選択信号を受け、前記キャリア波生成器のＡＴＣ信号用キャリア波、又はＴＤ信号用キャリア波を出力するか非かを選択する選択器と、前記信号出力制御部のＡＴＣ信号、又はＴＤ信号を受け、当該ＡＴＣ信号、又はＴＤ信号を前記選択器のＡＴＣ信号用キャリア波、又はＴＤ信号用キャリア波にて変調する変調器と、当該変調器の変調信号を増幅し、軌道回路側に出力する増幅器と、前記増幅器の出力信号を検知し、当該検知信号を送信器故障監視用フィードバック情報として前記信号出力制御部に出力する監視部と、前記信号出力制御部のレベル調整指示信号を受け、前記変調器の変調信号の電圧レベルを調整するレベル調整器と、を有し、前記軌道回路への列車在線から非在線へ、又は列車非在線から在線へ遷移した場合、前記レベル調整器をもって、前記変調器の変調信号の周波数成分を保ちながら、当該変調信号の出力レベルを変化させ、前記ＡＴＣ信号、又はＴＤ信号の前記軌道回路への出力を停止又は出力を開始することを特徴とする軌道回路用送信器。
【発明の詳細な説明】
【技術分野】
【０００１】
本発明は、軌道回路用送信器に関する。例えば、鉄道用保安装置である自動列車制御装置（以下、ＡＴＣ（Automatic Train Control）装置と称す。）に用いて適した軌道回路用送信器に関する。
【背景技術】
【０００２】
本技術分野の背景技術として、特開２０１０−２７４８３２号公報（特許文献１）がある。この公報には、課題として「未送信状態における故障の潜在を防ぐ」ことを挙げ、解決手段として「ＡＴＣ信号出力制御部と、ＡＴＣキャリア波生成器及び検査信号波生成器と、ＡＴＣキャリア波生成器又は検査信号波生成器からの入力信号の出力、或いは未出力をＡＴＣ信号出力制御部３からの指示により出力する選択器と、ＡＴＣ信号出力制御部から伝達するＡＴＣ情報にあわせて周波数変調する変調器と、変調器９の出力を電力増幅する増幅器と、出力信号の出力電圧を検知して電圧フィードバック情報として出力する電圧検知部と、出力信号の出力電流を検知して電流フィードバック情報として出力する電流検知部と、を含む軌道回路用送信器を構成し、列車在線時にはＡＴＣ信号を出力し、列車非在線時には列車の在線状態に合わせて必要時に検査信号を出力する。」と記載されている。
【先行技術文献】
【特許文献】
【０００３】
【特許文献１】特開２０１０−２７４８３２号公報
【発明の概要】
【発明が解決しようとする課題】
【０００４】
前記特許文献１には、ＡＴＣ装置及び軌道回路用送信器の仕組みが記載されている。例えば、ＡＴＣ装置では、図２に示すように、軌道回路毎にＴＤ信号送信器１９、ＡＴＣ信号送信器２０、ＴＤ信号受信器２１、を有する。
【０００５】
ＴＤ信号送信器１９は、ＡＴＣ論理部２から通信網２５を介して制御信号（ＴＤ信号出力指示及びＴＤ信号出力停止指示）を受け、当該制御信号のＴＤ信号出力指示に基づき列車検知信号（以下、ＴＤ（Train Detection）信号と言う）を出力し、軌道回路１７に送信する。
【０００６】
ＡＴＣ信号送信器２０は、ＡＴＣ論理部２からの制御信号（ＡＴＣ信号出力指示及びＡＴＣ信号出力停止指示）を受け、自動列車制御信号（以下、ＡＴＣ信号と言う）を出力し、軌道回路１７に送信する。
【０００７】
ＴＤ信号２３は軌道回路１７を介してＴＤ信号受信器２１へ送信され、ＡＴＣ信号２４は軌道回路１７を介して列車２２の車上装置へ送信される。
【０００８】
軌道回路１７には、隣接する軌道回路間に絶縁物を介入する有絶縁軌道回路と絶縁物を介入しない無絶縁軌道回路の２種類が存在する。
【０００９】
有絶縁軌道回路は、各軌道回路間が電気的に絶縁されている。このため、ＴＤ信号送信器１９、ＡＴＣ信号送信器２０から送信される信号が隣接する軌道回路に漏れない。従って、列車２２の軌道回路１７への在線状態によらず、ＴＤ信号２３とＡＴＣ信号２４を常時送信することが可能となる。また、有絶縁軌道回路ではＡＴＣ信号２４とＴＤ信号２３を同一信号で構成することが可能となり、システム構成を簡素化することができる特長がある。
【００１０】
一方、近年、有絶縁軌道回路における絶縁物の設置コスト及び保守コストが高いことから、無絶縁軌道回路を適用したＡＴＣ装置が注目されている。
【００１１】
無絶縁軌道回路は、軌道回路間の絶縁物が無いため、隣接する軌道回路間が電気的に接続されている。このため、常時送信しているＴＤ信号２３は隣接軌道回路での干渉を防ぐために、複数種類の異なる周波数を準備し、各軌道回路へ割り当てる必要がある。これに対し、ＡＴＣ信号２４は、列車２２が在線している軌道回路のみに送信する。これにより、隣接軌道回路でのＡＴＣ信号同士の干渉を防いでいる。
【００１２】
列車２２が軌道回路上にある在線状態から、隣接軌道回路へ移動し、非在線状態になった場合、ＡＴＣ信号送信状態から非送信状態へ遷移する。その際、ＡＴＣ信号用キャリア波を選択する選択器（図１の選択器１参照）は、ＡＴＣ信号送信状態から、非送信状態へ切替えるよう動作する。しかし、選択器による送信状態の切替時にＡＴＣ信号の送信状態に関係なく、ＡＴＣ信号用キャリア波は切断されるため、軌道回路用送信器から軌道回路への送信信号（ＡＴＣ信号）出力が突如切断され、停止することになる（図９参照）。この場合、過渡的に不要な周波数帯域の信号を短時間出力することになる。例えば、ＡＴＣ信号の切断時にＴＤ信号と同一の帯域の周波数成分が発生した場合、列車２２に対して誤った制御を行う要因と成り得る可能性があり、列車保安上好ましくない。
【００１３】
そこで、本発明は、軌道回路へ送信する信号の送信状態に変化がある場合、軌道回路の列車に対して誤制御の要因となる周波数帯域の成分を抑制しながら、送信信号の状態を遷移する軌道回路用送信器を提供する。
【課題を解決するための手段】
【００１４】
上述した課題解決のために、本発明は、軌道回路用送信器に、例えば、軌道回路が列車在線から非在線へ、又は列車非在線から在線へ遷移した場合、送信信号の周波数を保ちながら、当該送信信号の出力レベルを変化させ、当該信号を停止又は開始するように遷移制御する手段を有する。
【００１５】
遷移制御する手段は、例えば、信号出力制御部からの指示に従って軌道回路へ出力する送信信号の電圧レベルを徐々に下降又は上昇するように調整するレベル調整器であり、又は送信信号の電圧レベルを検知し、当該レベルが０、若しくは０に近い値になったとき、送信信号を停止する回路である。
【００１６】
更に具体例では、本発明の軌道回路用送信器は、軌道回路に送信する信号の出力レベルを検知し、当該出力レベルをもって軌道回路用送信器の故障有無を監視する監視部と、前記監視部の出力信号を受け、前記軌道回路に出力する信号を制御する信号出力制御部と、前記信号の出力レベルを調整するレベル調整部と、を有し、前記信号出力制御部は、前記軌道回路が列車在線から非在線へ、又は列車非在線から在線へ遷移した場合、前記レベル調整器に対して、前記信号の出力レベルを調整する指示を行い、前記レベル調整部は、前記出力レベル調整指示を受け、前記軌道回路に送信する前記信号の周波数を保ちながら、当該信号の出力レベルを徐々に下げ又は立ち上がるように変化させ、当該信号を停止又は開始することを特徴とする。
【００１７】
軌道回路用送信器であって、前記信号は、ＡＴＣ信号及び／又はＴＤ信号であり、更に、前記ＡＴＣ信号及び／又はＴＤ信号を搬送するＡＴＣ及び／又はＴＤキャリア波を生成するキャリア波生成器と、前記ＡＴＣ及び／又はＴＤキャリア波を選択、又は非選択する選択部と、を有し、前記信号出力制御部は、前記選択部に対して前記ＡＴＣ及び／又はＴＤキャリア波を選択、又は非選択かを指示し、当該キャリア波を選択した場合、当該キャリア波により搬送される前記ＡＴＣ信号及び／又はＴＤ信号を出力することを特徴とする。
【００１８】
軌道回路用送信器であって、前記レベル調整部は、前記信号出力制御部のレベル調整指示を受け、前記ＡＴＣ及び／又はＴＤ信号用キャリア波の電圧レベルを調整するレベル調整器からなり、当該電圧レベルがゼロクロス点にて前記ＡＴＣ及び／又はＴＤ信号を停止し、またゼロレベルから前記ＡＴＣ及び／又はＴＤ信号を出力開始することを特徴とする。
【００１９】
本発明の軌道回路用送信器は、ＡＴＣ又はＴＤ信号を軌道回路に出力するＡＴＣ信号用キャリア波又はＴＤ信号用キャリア波を生成するキャリア波生成器と、前記ＡＴＣ信号用キャリア波又はＴＤ信号用キャリア波を選択、又は非選択する選択部と、前記選択部に対して前記ＡＴＣ信号用キャリア波又はＴＤ信号用キャリア波を選択、又は非選択かを指示し、当該キャリア波を選択した場合、当該キャリア波により搬送される前記ＡＴＣ信号又はＴＤ信号を出力する信号出力制御部と、前記ＡＴＣ信号又はＴＤ信号の出力レベルを検知し、当該出力レベルをもって軌道回路用送信器の故障有無を監視する監視部と、を有する軌道回路用送信器であって、前記軌道回路が列車在線から非在線へ、又は列車非在線から在線へ遷移した場合、前記ＡＴＣ信号用キャリア波又はＴＤ信号用キャリア波の周波数を保ちながら、前記ＡＴＣ信号用キャリア波又はＴＤ信号用キャリア波の出力レベルを徐々に下げ又は上がるように変化させ、当該信号を停止又は開始するように制御するレベル調整手段を設けたことを特徴とする。
【００２０】
本発明の軌道回路用送信器は、ＡＴＣ論理部からの指示信号を受け、ＡＴＣ信号用キャリア波、又はＴＤ信号用キャリア波を選択する選択信号、ＡＴＣ信号、ＡＴＣ信号用キャリア波、又はＴＤ信号用キャリア波の電圧レベルを調整するレベル調整指示信号、を出力する信号出力制御部と、前記ＡＴＣ信号用キャリア波、又はＴＤキャリア波を生成するキャリア波生成器と、前記信号出力制御部の選択信号を受け、前記キャリア波生成器のＡＴＣ信号用キャリア波、又はＴＤ信号用キャリア波を出力するか非かを選択する選択器と、前記信号出力制御部のＡＴＣ信号、又はＴＤ信号を受け、当該ＡＴＣ信号、又はＴＤ信号を前記選択器のＡＴＣ信号用キャリア波、又はＴＤ信号用キャリア波にて変調する変調器と、当該変調器の変調信号を増幅し、軌道回路側に出力する増幅器と、前記増幅器の出力信号を検知し、当該検知信号を送信器故障監視用フィードバック情報として前記信号出力制御部に出力する監視部と、前記信号出力制御部のレベル調整指示信号を受け、前記変調器の変調信号の電圧レベルを調整するレベル調整器と、を有し、前記軌道回路への列車在線から非在線へ、又は列車非在線から在線へ遷移した場合、前記レベル調整器をもって、前記変調器の変調信号の周波数成分を保ちながら、当該変調信号の出力レベルを変化させ、前記ＡＴＣ信号、又はＴＤ信号の前記軌道回路への出力を停止又は出力を開始することを特徴とする。
【発明の効果】
【００２１】
本発明によれば、送信信号の出力を停止、又は送信信号の出力を開始する際に、当該信号の周波数成分を保ちながら、当該信号のレベルを滑らかに変化させることにより、軌道回路の列車に対して誤制御の要因となる周波数帯域の不要な周波数成分の出力を防ぎ、安全に列車制御の継続が可能となる。
【００２２】
例えば、ＡＴＣ信号及び／又はＴＤ信号の出力を停止、又は出力を開始する際に、ＡＴＣ信号用キャリア波及び／又はＴＤ信号用キャリア波の周波数成分を保ちながら、当該キャリア波レベルを滑らかに変化させ、停止、又は開始することにより、不要な周波数成分の出力を防ぎ、安全に列車制御の継続が可能となる。
【図面の簡単な説明】
【００２３】
【図１】本発明の軌道回路用送信器の一例を示すＡＴＣ信号送信器の構成を示すブロック図である。
【図２】本発明のＡＴＣ信号送信器およびＴＤ信号送信器を適用したＡＴＣシステムの概略構成図である。
【図３】ＡＴＣ信号送信器において、列車が軌道回路から隣接軌道回路へ移動した場合における、ＡＴＣ信号の軌道回路への送信が停止し、またＡＴＣ信号の隣接軌道回路への送信を開始する様子を示す図である。
【図４】ＡＴＣ信号送信器において、ＡＴＣ信号送信を停止した時の送信信号の電圧レベルの挙動を模式的に示す信号波形図である。
【図５】ＡＴＣ信号送信器において、送信信号をゼロクロス点（０Ｖ）にて停止する様子を示す電圧レベルの信号波形図である。
【図６】ＡＴＣ信号送信器において、ＡＴＣ信号送信を開始した時の送信信号の電圧レベルの挙動を摸式的に示す信号波形図である。
【図７】本発明の軌道回路用送信器の他の例を示すＴＤ信号送信器の構成を示すブロック図である。
【図８】ＡＴＣ信号送信器におけるレベル調整器の一具体例を示す回路図である。
【図９】レベル調整器の他の例を示す回路図である。
【図１０】本発明のレベル調整器を適用しない場合において、ＡＴＣ信号送信を停止した時の電圧レベルの挙動を模式的に示す信号波形図である。
【発明を実施するための形態】
【００２４】
以下、本発明の実施の形態について、図面を参照して説明する。本発明は、ＡＴＣ信号送信器、ＴＤ信号送信器、或いはその他の信号、例えば、地上側の機器が正常に動作しているか非かを確認するための信号を送信する信号送信器に対しても適用できるが、本例では、主として本発明の軌道回路用送信器の一つであるＡＴＣ信号送信器について説明する。
【実施例１】
【００２５】
図１は、軌道回路用送信器の一例を示すＡＴＣ信号送信器の構成を示すブロック図である。同図において、軌道回路用送信器のＡＴＣ信号送信器１は、ＡＴＣ信号出力制御部３と、ＡＴＣキャリア波生成器４と、選択器６と、変調器８と、監視部１３、１５と、レベル調整器１０と、増幅器１１、を有する。
【００２６】
ＡＴＣ信号出力制御部３は、ＡＴＣ論理部２からの制御信号１８を受け、ＡＴＣ信号用キャリア波選択信号（選択指示）５、ＡＴＣ信号７、ＡＴＣ送信信号レベル調整指示９、を出力する。
【００２７】
ＡＴＣキャリア波生成器４は、所望の周波数を有し、前記ＡＴＣ信号用キャリア波を生成する。
【００２８】
選択器６は、ＡＴＣ信号出力制御部３の選択指示５を受け、当該指示に基づきＡＴＣキャリア波生成器４のＡＴＣ信号用キャリア波を変調器８に出力するか非かを選択する。
【００２９】
変調器８は、ＡＴＣ信号出力制御部３のＡＴＣ信号７を受け、当該ＡＴＣ信号を選択器６から出力されるＡＴＣ信号用キャリア波にて周波数変調し、当該変調信号を後段に出力する。
増幅器１１は、変調器８にて変調されたＡＴＣ信号を電力増幅し、送信信号として軌道回路１７側に出力する。
【００３０】
レベル調整器１０は、選択器６がＡＴＣキャリア波を選択している状態から非選択状態に切り替わったとき、つまりＡＴＣキャリア波の変調器８、レベル調整器１０への出力を停止状態としたとき、ＡＴＣ信号出力制御部３のレベル調整指示９を受け、変調器８から出力されるＡＴＣ信号（ＡＴＣ信号用キャリア波）の電圧レベルを調整する機能を有する。
【００３１】
本例では、変調器８と増幅器１１との間にレベル調整器１０を配置したものであるが、レベル調整器１０は、変調器８の直前や増幅器１１の後段に配置してもよい。また、レベル調整器１０は、例えば平滑フィルタで構成する。要するに、ＡＴＣ信号用キャリア波の電圧レベルが徐々に、又は滑らかに下降するように変化させる機能を有するように構成したものであればよい。
【００３２】
係る構成により、軌道回路１７への列車在線から非在線へ、又は列車非在線から在線へ遷移した場合には、変調器８の出力信号（ＡＴＣ信号用キャリア波）の周波数成分を保ちながら、当該出力信号の電圧レベルが徐々に、又は滑らかに下降するように変化させ、ＡＴＣ信号７の軌道回路１７への出力を停止する（図４参照）。
【００３３】
監視部１３、１５は、ＡＴＣ信号送信器１の増幅器１１の出力信号を監視し、当該出力信号をもって送信器１の故障状態を監視するものであって、電圧検知部１３、電流検知部１５、を有する。
【００３４】
電圧検知部１３は、増幅器１１の出力信号の電圧を検知し、当該検知電圧を電圧フィードバック情報１２としてＡＴＣ信号出力制御部３に出力する。電流検知部１５は、増幅器１１の出力電流を検知し、当該検知電流を電流フィードバック情報１４としてＡＴＣ信号出力制御部３に出力する。
【００３５】
ＡＴＣ論理部２は、ＴＤ受信器２１（図２参照）からのＴＤ信号２３を受け、当該ＴＤ信号に基づき、列車２２の在線状態を判定し、在線時にＡＴＣ信号出力制御部３に対して、ＡＴＣ信号出力指示を、前記制御信号１８をもって行う。
【００３６】
ＡＴＣ論理部２からＡＴＣ信号出力指示を受けたＡＴＣ信号出力制御部３は、上述したＡＴＣ信号用キャリア波選択信号（選択指示）５を選択器６に対して出力し、ＡＴＣ信号７を変調器８に対して出力する。
これにより、ＡＴＣキャリア波生成器４からのＡＴＣ信号用キャリア波は、変調器６に入力され、ＡＴＣ信号７を変調し、当該変調信号を、増幅器１１を介して送信信号として送出することができる。
【００３７】
また、列車２２（図２参照）が隣接軌道回路へ侵入した際には、当該隣接軌道回路へ送信するＡＴＣ信号送信器２０（図２参照）からのＡＴＣ信号と干渉しないように、当該ＡＴＣ信号を即座に停止する必要がある。従って、列車２２が隣接軌道回路へ侵入した場合には、ＡＴＣ論理部２からＡＴＣ信号出力制御部３に対して、ＡＴＣ信号停止指示を、制御信号１８をもって行う。
【００３８】
ＡＴＣ信号停止指示を受けたＡＴＣ信号出力制御部３は、選択器６を介して、ＡＴＣ信号用キャリア波を選択しない未出力（ＡＴＣ信号用キャリア波切断）側を選択指示する。このとき、レベル調整器１０がない場合、変調器８の出力レベルは、図８に示すように挙動する。このような挙動信号を、増幅器１１を介して軌道回路１７へ出力した場合は、上述した如く、不要な周波数帯域の成分が含まれるため、列車２２に対して誤った制御を行う可能性がある。
【００３９】
本発明は、係る課題を是正するため、例えばレベル調整器１０を設け、当該レベル調整器をもって、軌道回路１７への送信信号の出力電圧レベルを調整するように構成したものである。
すなわち、ＡＴＣ信号出力制御部３は、ＡＴＣ信号停止指示を受けたとき、選択器６に対して、選択指示５をもってＡＴＣ信号用キャリア波を選択しないよう指示すると共に、レベル調整器１０に対して、レベル調整指示９をもってＡＴＣ信号用キャリア波の電圧レベルを調整する指示を行う。
【００４０】
レベル調整指示９を受けたレベル調整器１０は、変調器８からの出力信号（ＡＴＣ信号用キャリア波）の電圧レベルを徐々に下降するように、つまり電圧レベルを滑らかに減少するように変化させ、０レベルとなるように調整する。このレベル調整により、ＡＴＣ信号送信器１から不要な周波数成分を軌道回路１７に出力しないようすることができる。
電圧レベルを滑らかに０レベルへ変化させるレベル調整器１０として、例えば平滑フィルタを用いる。
【００４１】
図８は、レベル調整器１０として、平滑フィルタ１０１を用いた場合の一例を示す回路図である。
【００４２】
同図において、平滑フィルタ１０１は、例えば、スイッチ部１０２により、レベル調整指示９を受け、オン・オフ切り替える。
【００４３】
平滑フィルタ１０１は、例えば、図９に示す如く、移動平均を使用した平滑フィルタ、所謂ディジタルフィルタにより、構成する。そして、レベル調整指示９に従い、平滑フィルタの出力か否かを選択する。
【００４４】
図４は、ＡＴＣ信号送信を停止した時の出力信号（ＡＴＣ信号用キャリア波の電圧レベルＶ）の挙動を示す図であって、出力信号の電圧レベルＶが時間Ｔと共に減少し、０まで変化する様子を示した図である。
【００４５】
これにより、図１０に示す如く、高いレベルから急激に突如０レベルへと大きく変化することが無くなるため、ＡＴＣ信号の送信出力停止時に不要な周波数成分を含んだ信号を軌道回路１７側に出力することは無くなる。
【００４６】
また、実施例では、レベル調整器１０として、平滑フィルタを挙げたが、信号のゼロクロス点を検知し、レベルが０、又は小さい状態で、信号を停止する方法でも良い。
例えば、図９に示す如く、変調器８の出力電圧を検知する回路１０３、当該出力電圧が０、又は０に近い値になったとき、軌道回路１７への送信信号を停止する回路１０２を含む回路手段１０４を設け、当該回路手段により、信号を停止するようにしてもよい。
【００４７】
この場合は、電圧レベルが、例えば、図５に示す如く挙動となる。図５は、ＡＴＣ信号送信器において、ゼロクロス点（０Ｖ）にてＡＴＣ信号送信を停止する電圧レベルの挙動を模式的に示す信号波形図である。このような方法においても、不要な周波数成分の出力を防ぐことができる。
【００４８】
レベル調整器１０は、上述したように変調器８の後段に配置する必要はない。例えば、選択器６の前段や選択器６の後段や、増幅器１１の後段に配置しても良い。
【００４９】
また、本実施例では、信号停止時におけるレベル調整について説明したが、信号出力開始時にも適用することが可能である。信号出力開始時においても、選択器６が未出力の状態から出力の状態へ変化するため、不要な周波数成分を出力する可能性があり、出力開始時にレベル調整することで、０レベルから滑らかに信号出力を開始することが可能となる。
【００５０】
図６は、ＡＴＣ信号送信器において、ＡＴＣ信号送信を開始した時の送信信号の電圧レベルの挙動を摸式的に示す信号波形図である。
【実施例２】
【００５１】
実施例１では、ＡＴＣ信号を例として説明したが、ＴＤ信号など他の信号においても、同様に使用でき、不要なノイズ成分の出力を防ぐことができる。
【００５２】
図７は、本発明の軌道回路用送信器の他の例を示すＴＤ信号送信器の構成を示すブロック図である。
【００５３】
同図において、ＴＤ信号送信器１９（図２参照）は、ＡＴＣ信号送信器２０と同様にＴＤ信号出力制御部３’と、ＴＤキャリア波生成器４’と、選択器６’と、変調器８’と、監視部１３’、１５’と、レベル調整器１０’と、増幅器１１’、を有する。
【００５４】
ＴＤ信号出力制御部３’は、ＡＴＣ論理部２からの制御信号１８を受け、ＴＤ信号出力を行い、選択器６’に対してＴＤ信号用キャリア波を選択する選択信号（選択指示）５’を出力し、変調器６に対してＴＤ信号７’を出力し、レベル調整器１０’に対してＴＤ信号用キャリア波の電圧レベルを調整するレベル調整信号（レベル調整指示）９’を出力する。
【００５５】
ＴＤ信号受信器２１（図２参照）は、ＴＤ信号を受信し、ＡＴＣ論理部２に出力するＴＤ信号受信部を有する。
【００５６】
レベル調整器は１０’、実施例１のレベル調整器１０と同様にＴＤ信号７’の出力レベル（ＴＤ信号用キャリア波の電圧レベル）を調整する機能を有する。その他は、実施例１と同様故、説明は省略する。
【００５７】
また、上述した実施例では、ＡＴＣ信号、ＴＤ信号をそれぞれ変調した例を説明しているが、本発明は、変調しない信号、いわゆる無変調の信号（キャリア波のレベル調整）についても、適用することができる。
【００５８】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００５９】
１  軌道回路用送信器
２  ＡＴＣ論理部
３  ＡＴＣ信号出力制御部
４  ＡＴＣキャリア波生成器
５  ＡＴＣ信号出力制御部から選択器への選択信号
６  選択器
７  ＡＴＣ信号出力制御部から変調器へのＡＴＣ情報
８  変調器
９  ＡＴＣ信号出力制御部からレベル調整器へのレベル調整指示
１０  レベル調整器
１１  増幅器
１２  電圧フィードバック情報
１３  電圧検知部
１４  電流フィードバック情報
１５  電流検知部
１６  出力信号
１７  軌道回路
１８  ＡＴＣ論理部から軌道回路用送信器への出力指示
１９  ＴＤ信号送信器
２０  ＡＴＣ信号送信器
２１  ＴＤ受信器
２２  走行列車
２３  ＴＤ信号
２４  ＡＴＣ信号
２５  通信網
【図１】
2014159185.tif 000003
【図２】
2014159185.tif 000004
【図３】
2014159185.tif 000005
【図４】
2014159185.tif 000006
【図５】
2014159185.tif 000007
【図６】
2014159185.tif 000008
【図７】
2014159185.tif 000009
【図８】
2014159185.tif 000010
【図９】
2014159185.tif 000011
【図１０】
2014159185.tif 000012